(57)【要約】ぺットの移動に便利なペット移動用バッグに関する。詳しくは、ペットの身体の特性に合わせた収容空間が形成されており、楽な姿勢を保ったままでペットを移動・保管することができるペット移動用バッグに関する。また、ペットが寝るときや、雨や寒さを防ぎたいときは、収容空間の開放部を閉めることができ、バッグの着用性に優れており、使用者の身に最も密着して、歩行の易しさはもちろん、使用者の両手が自由になる。さらに、ペットには飼い主の温もりのような安らぎを感じさせて、歩行時の激しい揺れによる不安感を解消することができ、移動時、人にもペットにとっても不便を解消して、便利さを与えるペットの移動用バッグに関する。本発明は、上部に開放部が形成されて、ペットの頭の位置するヘッド部からボディー部へと向かって床面が下がるように形成された収容空間をもったバッグ本体と、上記開放部に向き合って設置され、内部には柔軟性の優れたクッション材があって、ヘッド部からボディー部方向の直径が漸進的に小さくなる一対の形態維持体を兼ね、飼い主の腕に顎をのせるペットの習性を反映した顎支柱と、上記のバッグ本体の両端につながり、任意に長さの調節ができるサスペンダーとがセットとしてなる。
2006515746.tif 000002
【特許請求の範囲】
【請求項１】
上部に開放部（１１）が形成されて、ペットの頭が位置するヘッド部（１３）からボディー部（１４）へと向かう方向に床面（１５）が下がるように作られた収容空間（１２）をもったバッグ本体（１０）と、
上記開放部（１１）において、向き合って設置され、柔軟性の優れたクッション材（２１）が内部に設けられ、ヘッド部（１３）からボディー部（１４）の方向へと直径が漸進的に小さくなる一対の形態維持体（２０）と、
上記バッグ本体（１０）の両端部につながり、任意に長さの調節ができるサスペンダー（３０）と
を含んで構成されていることを特徴とするペット用バッグ。
【請求項２】
形態維持体（２０）は、バッグ本体（１０）の基本的な形を維持する一方、通常時ペットが外部を見ることができるように、選択的にバッグ本体（１０）との連結部位（２２）を基準として外向きに裏返して開放部（１１）を開放させることができるとともに、上記の連結部位（２２）を基準として内向きに復帰されながら開放部（１１）を閉じて、ペットを保護することができることを特徴とする請求項１記載のペット用バッグ。
【請求項３】
形態維持体（２０）は、開閉作用が円滑になるように両端に一定幅を持つ延長部（２３）を有しており、該延長部（２３）の先端にサスペンダー（３０）の返し縫いが固定される一方、着用の際、使用者に密着力が容易になるように、形態維持体（２０）の直径の小さい部位が使用者の身体側に位置することを特徴とする請求項１または２記載のペット用バッグ。
【発明の詳細な説明】
【技術分野】
【０００１】
本発明は、ペット移動時に便利なペット用バッグに関する。より詳しくは、本発明は、ペットの身体の特性に合わせた収容空間が形成されており、楽な姿勢を保ったままでペットを移動・保管することができるペット移動用バッグに関する。また、ペットが寝たり、雨が降ったり、寒いときには、収容空間の開放部を閉めることできる。バッグの着用力が優れており、使用者の身に最も密着して、歩行の易しさはもちろん、使用者は両手が自由になる。さらに、ペットは飼い主の温もりのような安らぎを感じさせて、歩行時の激しい揺れによる不安感を解消することができ、移動時、人にもペットに対しても不便を解消して便利さを与えるペットの移動用バッグに関する。
【背景技術】
【０００２】
一般的に、ペットバッグは前方に担ぐリュックサック型バッグと、横で担ぐスポーツ型バッグとに分けられるが、前者の場合ベルトを交差して使用者の首にかけるので、まず着用が不便であり、背中で交差するＸ型ベルトと腰固定ベルトなどの仕組みは、設置から長さの調節まで色々な不便による問題点が取り上げられている。
【０００３】
また、後者の場合は、何よりもペットの身体的な与件が全然反映されておらず、ペットを楽な状態で保管することができないことが問題として指摘されている。
【０００４】
すなわち、ペットは人間と違って身体の特性上、図３のように四足を縮めた状態で最適な安らぎを感じ、首は外部を見回すことができるようにまっすぐに立てた状態を維持して、後方のボディーは、相対的に前方のボディーより大きくなる。
【０００５】
したがって、ペットを一番楽な姿勢（しゃがみこんだ姿）を維持したままで保管すると同時に、外部要因よりペットの体を保護するためには、顔のところを除いた他の身体部位をくるむことができる収容空間が確保されるべきであるが、従来のペット移動バッグはこういった条件を満たしていなかった。
【０００６】
また、ペットが寝たり雨や気温の急に下がったりしたときに、バッグの開放部を閉めることで、ペットに安らぎを与えることができるが、従来の場合はバッグの開閉操作が非常に不便であることが問題であった。
【０００７】
さらに、バッグを横で担ぐときには、バッグが使用者の体に完全に密着できなくて、着用感が劣ることはもちろん、歩行時揺れてしまってペットに不安感を持たせたことが取り上げられている。
【発明の開示】
【発明が解決しようとする課題】
【０００８】
本発明は、上記のような問題点を解消するために案出したもので、ペット身体の特性を考慮して、ペットが最適で楽な姿勢を維持することができるような収容空間を確保するバッグ本体を形成している。また、ペットの顔部分を選択的に外部に出せるようにバッグの開放部の開閉操作が易しくできるようにしながら、バッグの形を維持する形態維持体をフレキシブルになるよう製作して、着用の際、使用者の身に密着力の優れたペットバッグを提供することが、本発明の主な目的の一つである。
【課題を解決するための手段】
【０００９】
このような目的を達成するためのものである本発明は、ペットの頭の置かれるヘッド部からボディー部までの床面が下向き斜めに作られた収容空間をもつバッグ本体と、
【００１０】
上記開放部において向き合って一対に設置され、内部には柔軟性の優れたクッション材があって、ペットの頭部から身体方向に直径が漸進的に小さくなる形態維持の役割を果たし、飼い主の腕に顎をのせるペットの習性を反映した顎支柱と、
【００１１】
上記のバッグ本体の両側に接続し、任意に長さの調節ができるサスペンダーがセットとしてなっている。
【発明を実施するための最良の形態】
【００１２】
本発明の目的を達成するための望ましい実施例の構成に関して、詳しく述べる。
【００１３】
本発明の構成を概略的にみると、図１あるいは図３のようにペットが最も気楽な姿勢を維持することができる収容空間１２を備えたバッグ本体１０と、このバッグ本体１０の上部の開放部１１に設置されてバッグ本体１０の骨格を維持する一方、開放部１１を選択的に開閉させる一対の形態維持体２０と、上記のバッグ本体１０の両側につながって使用者の肩にかけて着用できるサスペンダー３０とで構成されている。
【００１４】
上記の概略な仕組みになっている本発明を、実施することができるようにもっと詳しく説明する。
【００１５】
まず、ペットが収容される収容空間１２をもつバッグ本体１０は、上部にペットの出入りができるように開放部１１が形成されて、開放部１１下側の収容空間１２はペットの頭が置かれるヘッド部１３になり、上記ヘッド部１３の他側にはペットの体が位置するボディー部１４が形成される。
【００１６】
ここで、あえて収容空間１２をヘッド部１３とボディー部１４で二分した理由は、ペットの身体的な特性を考えた上で、ペットの最適な安らぎを感じる縮めた姿勢を維持させるためである。
【００１７】
このために、収容空間１２はヘッド部１３からボディー部１４方向に漸進的に床面１５が斜めに下がるように形成されて、ボディー部１４はヘッド部１３より深いポケットの形になり、図３のように、ペットはしゃがみこんだ姿勢のまま収容空間１２に安全に収容されると同時に、ペットの頭は自然に開放部１１を通して外部に出され、外を見ることができるようになる。
【００１８】
上記開放部１１の先端に向き合って設置される一対の形態維持体２０は、柔軟性の優れたクッション材２１がその内部に納められており、ペットの首部などが触れても痛くならないようになっている。また、繊維材質のバッグ本体１０が下部に下がらず基本的な骨格（形態）を維持させて、全体の姿は収容空間１２のヘッド部１３からボディー部１４方向で直径が漸進的に小さくなる。
【００１９】
この時、上記の形態維持体２０の形状をヘッド部１３側からボディー部１４側へと漸進的に直径が小さくなるようにした理由は、使用者がバッグを着用するときに、バッグが使用者の体に完全に密着して歩行時にバッグの揺れを避け、ペットに不安感を与えないようにするためであり、また飼い主の腕に顎をのせるペットの習性を満足させて安らぎを感じさせるためである。
【００２０】
すなわち、形態維持体２０の直径が同じである場合、曲がる性質が低下し、バッグの着用時にバッグ本体１０が使用者の身体全面部から側面部にかけて密着させることが難しい。しかし、本発明の場合、形態維持体２０の直径が小さい部位が、使用者の身体側面に位置するようにバッグを着用する場合、形態維持体２０の曲がる性能が優れたため、体にぴったり着用することが容易になる。
【００２１】
ということで、歩行時にもバッグが揺れることがなくて、ペットに不安感を与えたりすることはなくなる。
【００２２】
こうした形態維持体２０は、基本的にバッグ本体１０の骨格を維持する一方、選択的にはバッグ本体１０との連結部位２２を基点として外向きになりながら開放部１１を開放させることができるとともに、元の状態に復元して開放部１１を閉めることができる開閉作用を行う（図５から図８）。
【００２３】
すなわち、形態維持体２０は、通常時、バッグ本体１０との連結部位２２を基点として、外向きになった状態を維持して、収容空間１２に収容されたペットの頭を外部に出し、ペットが外を見ることができるようにすることができる。また、ペットが寝たり、雨や寒さが生じると、連結部位２２を基準として内向きに復帰して、選択的に開放部１１を閉めペットを安全に保護することができる。
【００２４】
本発明は、こういう形態維持体２０の開閉作動時、開閉が円滑にできるように開放部１１の全区間にかけて形態維持体２０が設置されず、両端部に一定幅Ｌの大きさの延長部２３を有する。この延長部２３の先端にサスペンダー３０が返し縫いで固定されることで、開閉作動のとき形態維持体２０を簡単に裏変えし、元に戻すことができることはもちろん、操作が完了した後には、人為的な方法によらず、開放あるいは密閉された状態の形を持続的に維持することができる。
【００２５】
一方、上記のサスペンダー３０の連結リング３１を媒介としてつなげることで、使用者の操作によって任意に長さを調節することができ、使用者の身体に合わせてサスペンダー３０の長さを適切に調節し、着用できる便利さを提供する。
【００２６】
このような本発明によると、開放部１１を開放したとき、図３のようにペットは自然に  収容空間１２の床面１５にしゃがみこんだ楽な姿勢を維持したまま、気楽に収容される同時に、頭を外部に露出して外を見ることができる。
【００２７】
こんな状態でペットが寝たり、異常気候が発生したりすると、一対になっている形態維持体２０を内向きに折って開放部１１を閉め、ペットを保護しながら安らぎを提供することになる。
【００２８】
また、使用者がバッグを担ぐ場合、形態維持体２０が身体の前面部と側面部にかかるように完全密着され、バッグの揺れを防止するため、揺れによる不安感は完璧に解消されて、ペットは、気楽に飼い主に抱かれるようになる。
【産業上の利用可能性】
【００２９】
本発明によれば、ペットが最適に楽な姿勢を維持することができるような収容空間を備えて、ペットを気楽に収容することができる。開放部に設置されている一対の形態維持体を利用して、開放部を選択的に開閉させて、ペットの頭を外部に出し、通常時、ペットが外を見ることができる一方、悪天候時などには、ペットを収容空間の内部に完全に収容して、安楽さを維持することができる。また、使用者の身体に密着して歩行時の揺れを防ぐため、ペットに不安感を与えない効果がある。
【図面の簡単な説明】
【００３０】
【図１】図１は、本発明の収容空間の解放された状態の側面図である。
【図２】図２は、本発明の収容空間の密閉された状態の側面図である。
【図３】図３は、本発明にペットが保管された状態の正面図である。
【図４】図４は、本発明の形態維持体の一部切出しの拡大断面図である。
【図５】図５は、本発明の収容空間の解放された状態の平断面図である。
【図６】図６は、本発明の収容空間の密閉された状態の平断面図である。
【図７】図７は、本発明の形態維持体の解放状態の側断面図である。
【図８】図８は、本発明形態維持体とサスペンダーの間に一定幅（Ｌ）だけ延長部が設置された状態の平断面図である。
【図１】
2006515746.tif 000003
【図２】
2006515746.tif 000004
【図３】
2006515746.tif 000005
【図４】
2006515746.tif 000006
【図５】
2006515746.tif 000007
【図６】
2006515746.tif 000008
【図７】
2006515746.tif 000009
【図８】
2006515746.tif 000010
【国際調査報告】
2006515746.tif 000011